(57)【要約】      （修正有）【課題】携帯電話の入力方法に馴染んだ人にも使いやすい日本語入力可能な文字入力装置であって、テープ印刷装置に適用して好適である文字入力装置を提供する。【解決手段】仮名めくりキーにより未確定文字が入力されると、仮名漢字変換キーを押下することなく、それまでに入力された未確定文字からなる未確定文字列に対して仮名漢字変換が始まり、いくつか変換候補が表示されると共に、その内の１つが選択された状態となる。その状態において、仮名めくりキーとは異なる場所に配置され、０〜９の何れかの数字に対応付けられている数字キーを押下すると、現在選択中の変換候補に漢字確定されると共に押下された数字キーに対応付けられた数字が入力される。【選択図】図７
2007086971.tif 000002
【特許請求の範囲】
【請求項１】
各種キーと、前記各種キーにより入力された文字列を表示する表示手段とを備え、日本語の入力が可能な文字入力装置において、
５０音表の各行に対応する複数のキーを有し、当該複数のキーの内、所定行に対応したキーを押下した時、押下の度に前記表示手段に当該行の範囲で仮名文字を巡回して表示し、前記所定行とは異なる他の行に対応したキーの押下により前記所定行に対応して表示中の仮名文字を確定すると共に、前記他の行に対応した次の仮名文字の入力を続けて行うことにより仮名文字を入力するようにした仮名めくり入力手段と、
仮名文字を漢字に変換するための漢字変換辞書を記憶した変換辞書記憶手段と、
前記仮名めくり入力手段により仮名文字の入力がなされた時、前記仮名めくり入力手段から入力された文字からなる仮名文字列から変換可能な漢字候補を前記変換辞書記憶手段の中から検索する漢字変換手段と、
前記漢字変換手段により検索された前記漢字候補を前記表示手段に表示するよう制御する候補表示制御手段と、
前記仮名文字列を前記漢字候補に変換確定する漢字確定手段と、
前記５０音表の各行に対応した前記複数のキーとは別に配置された他のキーを有し、仮名文字以外の非仮名文字を入力する文字入力手段とを備え、
前記文字入力手段による入力がなされた時、前記漢字確定手段によって前記仮名文字列を前記漢字候補に変換確定すると共に、前記非仮名文字の入力を行うことを特徴とする文字入力装置。
【請求項２】
前記非仮名文字が数字であることを特徴とする請求項１に記載の文字入力装置。
【請求項３】
前記候補表示制御手段は、前記仮名文字列とは異なる位置に前記漢字候補を表示することを特徴とする請求項１または２に記載の文字入力装置。
【請求項４】
前記文字入力装置をテープ印字装置に適用したことを特徴とする請求項２または３に記載の文字入力装置。
【発明の詳細な説明】
【技術分野】
【０００１】
本発明は、日本語の入力が可能な文字入力装置に関し、特に、ラベルを作成するテープ印字装置に適用して好適な文字入力装置に関する。
【背景技術】
【０００２】
従来より、携帯電話等、小型の携帯機器においては、小型化のために、キー入力手段においては、少ないキーによる多くの文字種の入力及び機能実現のため、１つのキーに複数の文字や機能が割り付けられている。１つのキーに複数の文字種を割り付けた入力方法としては「あ」、「か」、「さ」、「た」、「な」、「は」、「ま」、「や」、「ら」、「わ」とキートップに表記されているキーを備え、その何れかを押下した場合、押下する度に、例えば「あ」のキーであれば「あ」→「い」→「う」→「え」→「お」→「あ」→・・・というように、５０音表の行の範囲で表示が巡回して切り替わり、目的の文字が表示されたところでキートップに他の文字が表記されたキーもしくは確定キーを押下することで目的の文字を入力する「仮名めくり」という入力方法が知られている。
【０００３】
１つのキーに複数の文字種を割り付ける入力方法としては、他に、仮名と数字のキーを共通化した文字キーと、仮名入力と数字入力とを切り替える入力切替キーとを備えて、これから入力する文字が仮名か数字かを入力切替キーで切り替えた後、文字キーを押下して目的の文字を入力する入力方法が知られている。これのバリエーションとしては、入力切替として仮名とアルファベットとを切り替えるもの、数字とアルファベットを切り替えるもの、仮名と数字とアルファベットを切り替えるもの等、各種存在する。特に、携帯電話に関しては、１つのキーに対し、この文字種を切り替える方法と仮名めくりの両方が適用されている。
【０００４】
また、一般に日本語入力が可能な文字入力装置においては、漢字仮名交じりの文章を入力するために、一旦仮名を入力した後に、漢字変換キーを押下することにより、漢字に変換することが行われている。
【０００５】
仮名めくり入力においても、一旦仮名を入力した後に、漢字変換キーを押下することにより、漢字に変換することが知られている（例えば、特許文献１参照）。
【０００６】
一方で、仮名を入力している間に、入力内容を自動判別して入力装置が勝手に漢字変換を行い、相応しいと予想される漢字候補を表示してくれる技術も知られている。
【０００７】
ところで、ラベルを作成するテープ印字装置に関しては、携帯電話のようには持ち歩くことはあまりない。そのため、小型化には製造コストの削減と設置場所が少なく済むというメリットはあるものの、テープ印字装置の場合、極端な小型化は要求されていない。
【０００８】
また、従来、テープ印字装置の日本語入力方法としてはローマ字入力や仮名を直接入力するものばかりであった。
【特許文献１】特許第３２２３６５２号公報
【発明の開示】
【発明が解決しようとする課題】
【０００９】
しかしながら、近年、携帯電話の爆発的な普及により、テープ印字装置にも携帯電話の入力方法に馴染んだ人向けに、携帯電話に近い入力方法に対応した製品が望まれている。その場合、従来の携帯電話のような極端な小型化要求に対応した入力方法そのままでは、キー数を少なくして尚かつ多くの文字種の入力及び機能を実現しようとするあまり、目的の文字の入力や目的の機能を実行しようとした時、多大な手間が掛かるという問題がある。
【００１０】
そこで、本発明は、上述した問題点を解決するためになされたものであり、多大な手間が掛からないで目的の文字の入力が可能なためストレスを感じないで済む一方、携帯電話の入力方法に馴染んだ人にも使いやすい日本語入力可能な文字入力装置であって、テープ印刷装置に適用して好適である文字入力装置を提供することを目的とする。
【課題を解決するための手段】
【００１１】
前記目的を達成するため請求項１に係る文字入力装置は、各種キーと、前記各種キーにより入力された文字列を表示する表示手段とを備え、日本語の入力が可能な文字入力装置において、５０音表の各行に対応する複数のキーを有し、当該複数のキーの内、所定行に対応したキーを押下した時、押下の度に前記表示手段に当該行の範囲で仮名文字を巡回して表示し、前記所定行とは異なる他の行に対応したキーの押下により前記所定行に対応して表示中の仮名文字を確定すると共に、前記他の行に対応した次の仮名文字の入力を続けて行うことにより仮名文字を入力するようにした仮名めくり入力手段と、仮名文字を漢字に変換するための漢字変換辞書を記憶した変換辞書記憶手段と、前記仮名文字入力手段により仮名文字の入力がなされた時、前記仮名めくり入力手段から入力された文字からなる仮名文字列から変換可能な漢字候補を前記変換辞書記憶手段の中から検索する漢字変換手段と、前記漢字変換手段により検索された前記漢字候補を前記表示手段に表示するよう制御する候補表示制御手段と、前記仮名文字列を前記漢字候補に変換確定する漢字確定手段と、前記５０音表の各行に対応した前記複数のキーとは別に配置された他のキーを有し、仮名文字以外の非仮名文字を入力する文字入力手段とを備え、前記文字入力手段による入力がなされた時、前記漢字確定手段によって前記仮名文字列を前記漢字候補に変換確定すると共に、前記非仮名文字の入力を行うことを特徴とする。
【００１２】
また、請求項２に係る文字入力装置は、請求項１に記載の文字入力装置において、前記非仮名文字が数字であることを特徴とする。
【００１３】
また、請求項３に係る文字入力装置は、請求項１または２に記載の文字入力装置において、前記候補表示制御手段は、前記仮名文字列とは異なる位置に前記漢字候補を表示することを特徴とする。
【００１４】
また、請求項４に係る文字入力装置は、請求項２または３に記載の文字入力装置において、前記文字入力装置をテープ印字装置に適用したことを特徴とする。
【発明の効果】
【００１５】
請求項１に係る文字入力装置では、仮名めくり入力手段により仮名文字が入力されると、漢字変換手段が、仮名めくり入力手段から入力された文字からなる仮名文字列から変換可能な漢字候補を変換辞書記憶手段の中から検索する。検索された漢字候補は、候補表示制御手段によって表示手段に表示される。その後、仮名めくり用に配置されたキーとは別に配置されたキーから非仮名文字が入力されると、漢字確定手段によって、仮名めくり入力手段から入力された文字からなる仮名文字列は、検索された漢字候補に変換確定されると共に、その非仮名文字の入力が行われる。
【００１６】
これにより、仮名めくりにより仮名文字を入力するだけで、特別なキー操作をすることなく、仮名文字列の漢字変換候補が表示され、それに続いて非仮名文字の入力をするだけで漢字変換候補が確定されると共に、特別なキー操作をすることなく、仮名文字から非仮名文字へと文字種が切り替わってその非仮名文字の入力が行われる。
【００１７】
即ち、文字入力の操作が簡便になり、目的の仮名文字と非仮名文字を容易に入力でき、漢字交じりの日本語の文章が素早く入力できるようになる。
【００１８】
また、請求項２に係る文字入力装置では、非仮名文字は数字である。
これにより、仮名文字入力と数字入力を、特別なキー操作をすることなく両立することができ、文字入力の操作が簡便になり、目的の仮名文字と数字を容易に入力できる。そのため、数字を含んだ漢字交じりの日本語の文章が素早く入力できるようになる。
【００１９】
また、請求項３に係る文字入力装置では、漢字変換候補は仮名文字列とは異なる位置に表示される。
【００２０】
これにより、仮名めくり入力手段から入力された文字からなる仮名文字列の確認をしながら漢字変換を行うことができる。
【００２１】
また、請求項４に係る文字入力装置では、当該文字入力装置はテープ印字装置に適用される。
【００２２】
これにより、テープ印字装置において、数字を含んだ漢字交じりの日本語の文章が素早く入力できるようになる。
【発明を実施するための最良の形態】
【００２３】
以下、本発明に係るテープ印刷装置について、具体化した一実施形態に基づいて図面を参照しつつ詳細に説明する。
【００２４】
先ず、本実施形態に係るテープ印字装置の概略構成について図１乃至図４に基づき説明する。
【００２５】
図１は、本実施形態に係るテープ印字装置の概略上方外観図であり、図２は、同概略右側方外観図である。
【００２６】
図１及び図２に示すように、本実施形態に係るテープ印字装置１には、手前側にキーボード２が配設されている。キーボード２には、文書データからなるテキストを作成するための各種の文字入力キーがキーボード２の２段目から４段目に掛けて存在する文字入力キー群３と、５段目にはテキストの印字を指令する印刷キー４、及び、改行指令や仮名漢字変換中に漢字変換候補に漢字を確定する各種処理の実行、選択を指令するリターンキー５（本実施形態では、リターンキーが確定キーとしても機能している）、文字等のキャラクタを複数行に渡って表示する液晶ディスプレイ（ＬＣＤ）６上でカーソルを上下、左右に移動させるカーソルキー７、仮名漢字変換中に漢字変換候補の次候補の表示を指令する次候補キー８と、１段目には、文字サイズや文字修飾、削除等、各種機能を設定する複数の機能キーが配置されてなる機能キー群９とが配置されている。尚、文字入力キー群３の一部をなし、キーボード２の２行目、３行目に配置されている数字／仮名めくりキー群１０については後述する。文字入力キー群３では、数字、仮名、英字、各種の記号等の入力が可能である。
【００２７】
また、本テープ印字装置１後側には、後述のテープカセット１１（図３参照）を収納するカセット収納部１２が収納カバー１３で覆われて配設されている。また、このキーボード２の下側には、制御回路部が構成される制御基板１４が配設されている。また、カセット収納部１２の左側面部には、印字されたテープが排出されるラベル排出口１５が形成されている。また、カセット収納部１２の右側面部には、電源アダプタが取り付けられるアダプタ挿入口１６、及び不図示のパーソナルコンピュータと接続するためのＵＳＢケーブルが取り付けられるコネクタ１７が設けられている。
【００２８】
また、このカセット収納部１２には、サーマルヘッド１８と、このサーマルヘッド１８に対向するプラテンローラ１９と、このプラテンローラ１９の下流側のテープ送り用ローラ２０と、このテープ送り用ローラ２０に対向するテープ駆動ローラ軸２１とが配置されている他に、更に、テープカセット１１内に収納されるインクリボンを送るリボン巻取軸２２等が配置されている。
【００２９】
このサーマルヘッド１８は、正面視略縦長四角形の平板状で、前面の左端縁部には、所定個数の各発熱素子（本実施形態では、１２８個である）が、その左端縁部の辺に沿って一列に配列されて形成されている。また、サーマルヘッド１８は、メッキ鋼板やステンレス鋼板等により形成される正面視略四角形の放熱板２３の前面の左端縁部に、各発熱素子の配列方向が、放熱板２３の左端縁部の辺に平行になるように接着剤などによって固着されている。そして、放熱板２３は、各発熱素子の配列方向が、テープカセット１１の開口部３０（図３参照）における被印字テープ３１（図３参照）の搬送方向に略直交するように、ビス止め等によってカセット収納部１２の下側に取り付けられている。
【００３０】
また、リボン巻取軸２２は、後述のステッピングモータ等により構成されるテープ送りモータ６０（図４参照）から適宜の駆動機構を介して回転駆動される。また、テープ駆動ローラ軸２１は、テープ送りモータ６０（図４参照）から適宜の伝達機構を介して回転駆動され、後述するテープ駆動ローラ３２（図３参照）を回転駆動する。
【００３１】
次に、テープ印字装置１のカセット収納部１２にテープカセット１１を装着した場合の概略構成について図３に基づいて説明する。
【００３２】
図３は、本実施形態に係るテープ印字装置に装着されるテープカセットのカバーを外した場合の平面図である。
【００３３】
図３に示すように、テープカセット１１は透明テープ等からなる被印字テープ３１、この被印字テープ３１に印字を施すためのインクリボン３３、更には、印字がなされた被印字テープ３１に裏貼りされる両面粘着テープ３４を各々、テープスプール３５、リール３６、テープスプール３７に巻回して、テープカセットの底面に立設されるカセットボス３８、リールボス３９、カセットボス４０に回転可能に嵌挿して収納したものであり、更に、使用済みのインクリボン３３を巻き取るインクリボン巻取リール４１を備えている。
【００３４】
そして、前記リール３６に巻回され、このリール３６から引き出された未使用インクリボン３３は、被印字テープ３１と重ね合わされ、被印字テープ３１と共に開口部３０に入り、サーマルヘッド１８及びプラテンローラ１９の間を通過する。その後、インクリボン３３は、被印字テープ３１から引き離され、リボン巻取軸２２により回転駆動されるインクリボン巻取リール４１に至り、このインクリボン巻取リール４１により巻き取られる。
【００３５】
また、前記両面粘着テープ３４は、片面に離形紙を重ね合わされた状態で、離形紙を外側にしてテープスプール３７に巻回されて収納されている。そして、このテープスプール３７から引き出された両面粘着テープ３４は、テープ駆動ローラ３２とテープ送り用ローラ２０との間を通過し、離形紙が存在しない側の粘着面が被印字テープ３１に貼着される。
【００３６】
これにより、前記テープスプール３５に巻回され、このテープスプール３５から引き出された被印字テープ３１は、テープカセット１１のサーマルヘッド１８が挿入される開口部３０を通過する。その後、両面粘着テープ３４が貼り合わされる被印字テープ３１は、テープカセット１１の片側下方部（図３中、左下側部）に回転自在に設けられ、テープ送りモータ６０の駆動を受けて回転するテープ駆動ローラ３２と、このテープ駆動ローラ３２に対向配置されるテープ送り用ローラ２０との間を通過して、テープカセット１１の外部に送り出されて、テープ印字装置１のテープ排出口１５（図１参照）から印刷テープ４２が排出される。この場合、両面粘着テープ３４は、被印字テープ３１に対してテープ駆動ローラ３２及びテープ送り用ローラ２０によって圧着される。
【００３７】
次に、この両面粘着テープ３４が圧着された被印字テープ３１を自動的に切断する切断装置４３について簡単に説明する。前記テープカセット１１の左側に対応するテープ印字装置１の本体フレームの直ぐ内側には、板状の補助フレーム４４が立設され、この補助フレーム４４に固定刃４５が上向きに固着されている。補助フレーム４４に固着された左右方向向きの枢支軸４６には、前後方向に延びる操作レバー４７の前端近傍部が回動可能に枢支され、その操作レバー４７の枢支軸４６より前側に対応する部位において、可動刃４８が前記固定刃４５と対向して取付けられている。また、操作レバー４７の後端部は、切断用モータ６１（図４参照）に連結された揺動駆動機構（図示略）により上下揺動可能に構成され、常には、可動刃４８が固定刃４５から離間した状態で保持されている。
【００３８】
そして、サーマルヘッド１８により印字されて両面粘着テープ３４が圧着された印刷テープ４２は、テープカセット１１から固定刃４５と可動刃４８との間を通ってテープ排出口１５（図１参照）から外に延びているので、切断信号により駆動された切断用モータ６１により、揺動駆動機構を介して操作レバー４７の後端部が上下揺動され、可動刃４８が固定刃４５に接近して、これら両刃４８・４５で印刷テープ４２が切断される。
【００３９】
ところで、前記テープカセット１１から繰出される被印字テープ４２として、テープ幅を６ｍｍ、９ｍｍ、１２ｍｍ、１８ｍｍとする４種類が準備されており、これらテープカセット１１の底壁部には、これら４種類のテープ幅の何れかを検知する為に、４つの突出爪の有無を組合せた突出片４９が設けられている。そして、このテープカセット１１の下側を支持するカセット収納部１２の底面部には、この突出片４９の突出爪の組合せからテープ幅を検知するカセットセンサ６２（図４参照）が取付けられている。即ち、このカセットセンサ６２は、突出片４９を構成する突出爪の組合せにより、例えば、テープ幅が９ｍｍのときには「０１００」のカセット信号を出力し、またテープ幅が１８ｍｍのときには「１１００」のカセット信号を出力するとともに、テープカセット１１が装着されていないときには、「００００」のカセット信号を出力する。
【００４０】
次に、テープ印字装置１の回路構成について図４に基づき説明する。図４は、本実施形態に係るテープ印字装置の制御構成を示すブロック図である。図４に示すように、テープ印字装置１の制御基板１４上に形成される制御回路部６３は、ＣＰＵ６４、ＣＧ（キャラクタジェネレータ）ＲＯＭ６５、ＲＯＭ６６、ＥＥＰＲＯＭ６７、ＲＡＭ６８、入出力インターフェース（Ｉ／Ｆ）６９、及び通信用インターフェース（Ｉ／Ｆ）７０等を備えている。また、ＣＰＵ６４、ＣＧＲＯＭ６５、ＲＯＭ６６、ＥＥＰＲＯＭ６７、ＲＡＭ６８、入出力インターフェース（Ｉ／Ｆ）６９、及び通信用インターフェース（Ｉ／Ｆ）７０は、バス線７１により相互に接続されて、相互にデータのやり取りが行われる。
【００４１】
ここに、ＣＧＲＯＭ６５には各キャラクタに対応するドットパターンデータが記憶されており、ドットパターンデータがＣＧＲＯＭ６５から読み出され、そのドットパターンデータに基づいて液晶ディスプレイ（ＬＣＤ）６上にドットパターンが表示される。
【００４２】
また、ＲＯＭ６６には、各種のプログラムを記憶させておくものである。そして、ＣＰＵ６４はかかるＲＯＭ６６に記憶されている各種のプログラムに基づいて各種の演算を行なうものである。
【００４３】
また、ＲＯＭ６６には、アルファベット文字や記号等のキャラクタを印字するための多数のキャラクタの各々に関して、印字用ドットパターンデータが、書体（ゴシック系書体、明朝体書体等）毎に分類され、各書体毎に４種類（１６、２４、３２、４８のドットサイズ）の印字文字サイズ分、コードデータに対応させて格納されている。また、階調表現を含むグラフィック画像を印字するためのグラフィックパターンデータも記憶されている。
【００４４】
また、仮名漢字変換をする時に用いられる漢字変換辞書が格納される漢字変換辞書記憶領域６６Ａが設けられている。この漢字変換辞書は、仮名文字列が与えられた時、漢字ばかりからなる熟語もしくは漢字と仮名が交じった漢字仮名交じりの文字列に変換する熟語変換のため、仮名文字列と変換後の文字列とが対応付けられたデータである。大抵の場合、読みが同じ熟語または漢字仮名交じりの文字列は複数存在するため、１つの仮名文字列に対し複数のデータが変換後のデータとして対応付けられている。また、漢字変換辞書は、仮名文字列が与えられた時、１文字の漢字に変換する単漢字変換のため、仮名文字列と変換後の漢字とが対応付けられたデータである。これも大抵の場合、読みが同じ漢字は複数存在するため、１つの仮名文字列に対し複数のデータが変換後のデータとして対応付けられている。尚、この漢字変換辞書は１文字以上の仮名文字列に対応している。
【００４５】
また、このＲＯＭ６６には、キーボード２から入力された文字や数字等のキャラクタのコードデータに対応させて液晶ディスプレイコントローラ（ＬＣＤＣ）７２を制御する表示駆動制御プログラム、印字バッファ４５Ａのデータを読み出してサーマルヘッド１８やテープ送りモータ６０を駆動する印字駆動制御プログラム等、その他テープ印字装置１の制御上必要な各種のプログラムが格納されている。
【００４６】
また、ＥＥＰＲＯＭ６７には、機能キー群９の各種キーによって設定された設定値の一部が記憶されている。また、ＥＥＰＲＯＭ６７は、コネクタ１７（図２参照）を介して外部のコンピュータ装置から受信した印字データや各種図柄データのドットパターンデータ等に登録番号を付して記憶するものであり、テープ印字装置１の電源をオフしてもこれらの記憶内容を保持している。
【００４７】
また、ＲＡＭ６８は、ＣＰＵ６４により演算された各種の演算結果を一時的に記憶させておくためのものである。また、ＲＡＭ６８には、印字バッファ６８Ａ、編集入力領域６８Ｂ、表示画像バッファ６８Ｃ、ワーク領域６８Ｄ等の各種のメモリ領域が設けられている。この印字バッファ６８Ａには、複数の文字や記号等の印字用ドットパターンや各ドットの形成エネルギ量である印加パルス数等がドットパターンデータとして格納され、サーマルヘッド１８はかかる印字バッファ６８Ａに記憶されているドットパターンデータに従ってドット印字を行う。また、編集入力領域６８Ｂには、キーボード２から入力された文書データ等のラベルデータとしての編集テキストが格納される。また、表示画像バッファ６８Ｃには、液晶ディスプレイ６に表示されるグラフィックデータ等が格納される。
【００４８】
また、入出力Ｉ／Ｆ６９には、キーボード２、カセットセンサ６２と、液晶ディスプレイ（ＬＣＤ）６に表示データを出力する為のビデオＲＡＭを有するディスプレイコントローラ（ＬＣＤＣ）７２と、サーマルヘッド１８を駆動する為の駆動回路７３と、テープ送りモータ６０を駆動する為の駆動回路７４と、切断用モータ６１を駆動する為の駆動回路７５とが夫々接続されている。
【００４９】
また、通信用Ｉ／Ｆ７０は、例えば、ＵＳＢ（Universal Serial Bus）等から構成され、外部のコンピュータ装置とＵＳＢケーブル等によって接続され、双方向データ通信が可能になっている。
【００５０】
よって、キーボード２の文字キーを介して文字等が入力された場合、そのテキスト（文書データ）が編集入力領域６８Ｂに順次記憶されていくとともに、ドットパターン発生制御プログラム及び表示駆動制御プログラムに基づいてキーボード２を介して入力された文字等に対応するドットパターンが液晶ディスプレイ（ＬＣＤ）６上に表示される。また、サーマルヘッド１８は駆動回路７３を介して駆動され、印字バッファ領域６８Ａに記憶されたドットパターンデータの印字を行い、これと同期してテープ送りモータ６０が駆動回路７４を介してテープの送り制御を行うものである。また、外部のコンピュータ装置から通信用Ｉ／Ｆ７０を介して入力された印字データを編集入力領域６８Ｂが順次記憶し、ドットパターン発生制御プログラムに基づいて印字バッファ領域６８Ａにドットパターンデータとして記憶されて、サーマルヘッド１８を介して被印字テープ３１に印字される。
【００５１】
次に、ＬＣＤ６に表示された表示画面について図５に基づいて説明する。図５は、未確定文字列がある未確定状態の場合の代表的な表示画面の例である。図５に示すように、２行からなり、それぞれ全角で８文字づつ表示することが可能である。１行目は、仮名漢字変換の時の漢字変換候補が表示される変換候補表示画面８０であり、２行目は、入力編集した文字列が表示される編集表示画面８１である。
【００５２】
現在、変換候補表示画面８０には、「会議室」が反転して表示されており、それに続けて「かいぎしつ」が通常の、白の無地に黒文字で表示がなされ、編集表示画面８１には、半角文字で「１：」が通常の表示でなされているのに続けて「かいぎしつ」が全角文字で反転して表示されている。そして「つ」の下にはカーソルが表示されている。テープ印字装置１では複数行からなる文書の入力が可能だが、「１：」は、その１行目を表示していることを表している。続く「かいぎしつ」の反転表示は、未確定の「かいぎしつ」という文字列が入力されていることを表している。変換候補表示画面８０に表示されている反転表示の「会議室」と「かいぎしつ」は、編集表示画面８１に表示されている「かいぎしつ」を仮名漢字変換する時の変換候補として２つあり、「会議室」という熟語と変換しなかった時の「かいぎしつ」とがあることを示している。
【００５３】
次に、図１３に基づいて未確定文字列がない確定状態の場合の画面表示を説明する。図１３に示す様に１行目には何も表示されず、２行目は、全て通常の表示で半角文字の「１：」とそれに続き全角文字で「会議室３」が表示されている。そして、「３」の隣の桁にカーソルが表示されている。「１：」は、前記と同様、テープ印字装置１では複数行からなる文書の入力が可能であるが、その１行目を表示していることを表している。続く「会議室３」は、確定状態の「会議室３」という文字列が入力されていることを表している。カーソルは、その位置を基点に文字列に操作が加えられる。図５に示すような未確定文字がない確定状態にある時は、仮名漢字変換は行われず、よって１行目の変換候補表示画面８０には変換候補の表示はない。
【００５４】
次に、図６に基づいて数字／仮名めくりキー群１０の説明を行い、数字キー、仮名めくりキーを押下した時の動作の概略を説明する。図６は、キーボード２の２行目、３行目を占める数字／仮名めくりキー群１０における各数字キー、仮名めくりキーのキー配列を示す模式図である。
【００５５】
図６に示すように、上段には１０個のキーが一列に並んでおり、キートップには１〜９、０の各数字が記され、各数字毎に独立したキーが割り付けられている（以下、数字キーと称す）。
【００５６】
一方、下段には、１１個のキーが１列に並び、キートップに日本語の５０音表の「あ」段を表す「あ」、「か」、「さ」、「た」、「な」、「は」、「ま」、「や」、「ら」、「わ」といった各仮名文字が表記されているキーと、「゛゜ー」と表記されているキーとがある。仮名文字が表記されているキーの場合、その何れかを押下した時は、例えば「あ」のキーであれば押下する度に、「あ」→「い」→「う」→「え」→「お」→「あ」→・・・というように、５０音表の行の範囲で表示が巡回して切り替わり、目的の文字が表示されたところでキートップに他の文字が表記されたキーもしくはリターンキー５を押下することで目的の文字を入力する。この入力方法を「仮名めくり」と呼んでいる。そのため「あ」、「か」、「さ」、「た」、「な」、「は」、「ま」、「や」、「ら」、「わ」を仮名めくりキーと呼ぶ。
【００５７】
「゛゜ー」は、濁点、半濁点、長音を表している。このキーも押下する度に、「゛」→「゜」→「ー」→「゛」→・・・と表示が巡回して切り替わる。例えば、「か」の後に「゛」を入力すると入力済みの「か」に替わって「が」が入力されることになる。尚、濁点、半濁点は特定の文字にしか付かないため、半濁点は付かないが濁点が付く可能性がある文字の後では、「゛」→「ー」→「゛」→・・・と「゜」を抜かして巡回表示される。また、濁点、半濁点とも付かない文字の後では、「ー」→「ー」→・・・と一見表示は変わって見えないが切り替わる。これら、「゛゜ー」は日本語入力をするに当たり、必須なため広い意味では仮名めくりキーに含めてしまうこともある。別の実施例として「゛゜ー」キーに句点、読点を含めてもよい。その時は、それらも含めたキーが広い意味での仮名めくりキーとなる。
但し、本実施形態では、「あ」キー、「か」キー、・・・、「わ」キーの各キーのみを仮名めくりキーとし、「゛゜ー」キーは仮名めくりキーに含めないこととする。
【００５８】
数字キーの場合、押下したキーに対応した数字が確定文字として入力される。一方、仮名めくりキーの場合、どれか１つのキーを押下するだけでは、仮名文字の候補が変わるだけで入力する仮名文字が決まる訳ではない。その状態で、どれか別の仮名めくりキーが押下されると、先に押下されたキーに対応し、後から別の仮名めくりキーが押されたタイミングで表示されている仮名文字に一旦、仮名文字が決まる。それと共に、後から押下した仮名めくりキーに対応した仮名文字の候補表示が行われる。この時、先に押下したキーに対応して入力された仮名文字と、後から押下したキーに対応して入力された仮名文字とは共に未確定文字である。因みに、どちらも未確定文字には違いはないが、先に押下したキーに対応して入力された仮名文字は、仮名文字の候補としての表示ではなく決定した値である。この様に、未確定文字ではあるが、値が確定することを「仮確定する」と言い、仮確定した文字を仮確定文字と呼ぶ。
【００５９】
表示されている仮名文字の候補を仮確定するためには、他に不図示の仮確定キーを押下する方法もある。例えば、「かき」と入力したい時、「か」キーを押下して先頭の「か」を入力後、次の「き」を入力しようと「か」キーを押下しても、先頭の「か」の表示が「き」に変わるだけで、２文字目は入力されない。そのような時、先頭の文字を「か」に仮確定するために使用する。「か」キーの１回押下→仮確定キーの１回押下→「か」キーの２回押下、によって「かき」を入力することが可能である。この場合の「かき」は両方とも未確定文字であるので、未確定文字列と呼ぶ。
【００６０】
尚、先の「かき」の例では、２文字目の「き」は仮確定よりも前の状態であった。未確定文字列の「かき」は漢字変換の対象となる。
【００６１】
表示されている仮名文字の候補の仮確定としては、さらに他に、カーソルキー７の内、左カーソルキーまたは右カーソルキーを押下して、未確定文字列の中でのカーソル位置を移動させる方法もある。未確定文字列の表示中は、カーソルは未確定文字列の範囲の中でしか移動できない。但し、未確定文字列の最後の文字の位置にカーソルがある場合は、１つ右隣までは移動できる（以下、同様）。新しく移動した先のカーソル位置が、次に入力される文字の入力位置となる。
【００６２】
次に再び、図５及び図１３を参照して、仮名漢字変換中（未確定状態）の動作、確定文字ばかりで未確定文字がない確定状態での動作について詳しく説明する。
【００６３】
図５では、編集表示画面８１には未確定文字列の「かいぎしつ」が表示されており、変換候補表示画面８０には、変換候補として「会議室」と「かいぎしつ」とが表示されている。現在は「会議室」が反転表示していて選択されていることを示している。この状態で次候補キー８を押下すると、変換候補表示画面８０の「会議室」の変換候補が通常の表示になり、替わって「かいぎしつ」という変換候補が反転表示になる。さらに、次候補キー８を押下すると再び「会議室」が反転して、「かいぎしつ」が通常の状態に戻る。また、図５の変換候補表示画面８０に表示された状態から不図示の前候補キーを押下しても変換候補の選択が変わり、「会議室」が通常の表示になって、「かいぎしつ」が反転表示となる。さらに不図示の前候補キーを押下すると再び「会議室」が反転し、「かいぎしつ」が通常の状態に戻る。
【００６４】
この例の「かいぎしつ」では変換候補として「会議室」と「かいぎしつ」の２つしかないが、よりたくさん変換候補がある場合、一時に表示可能な分だけが変換候補表示画面８０に表示され、次候補キー８０や不図示の前候補キーを押下することで、次の変換候補を選択状態にしたり、前の変換候補を選択状態にしたりして、徐々に現在表示されている変換候補の替わりに現在表示されていない変換候補を表示するように動作する。そして、次候補キー８０または不図示の前候補キーを何回か押下した場合、選択状態にある変換候補は巡回するように構成されている。
【００６５】
尚、前述したように漢字変換辞書記憶領域６６Ａに記憶される漢字変換辞書には、熟語変換用のデータと単漢字変換用のデータとがある。そのため、未確定の文字列に対応した変換候補には熟語変換用のデータから検索されるものと、単漢字変換用のデータから検索されるものとがある。未確定の文字列によっては何れか一方の変換候補しか該当しないこともあるが、両方から該当するものが見つかることもある。
【００６６】
次に、前述の通り、カーソルキー７の内、右カーソルキーを押下すると未確定文字列「かいぎしつ」の範囲で右方向にカーソルが移動になる。尚、「つ」の位置にカーソルがある場合に右カーソルキーが押下された場合は１つ右隣りまでは移動できる。また、左カーソルキーを押下すると未確定文字列「かいぎしつ」の範囲で左方向にカーソルが移動になる。この時、仮名めくりキーを押下すると巡回表示になる仮確定前の状態の文字があれば、それは仮確定される。
【００６７】
次に、図５に示す状態で、リターンキー５を押下した時は、編集表示画面８１の未確定文字列が、現在選択中の変換候補に置き換わる。置き換わった文字は確定文字として表示されるので、反転表示はなくなって通常の表示になる。その時、変換候補表示画面８０は、何も文字が表示されていない状態になる。図５の例では、ＬＣＤ６の上段が何も表示されておらず、下段に半角文字の「１：」とそれに続いて全角文字の「会議室」が共に通常の白地に黒文字で表示され、カーソルは置き換わった文字列の最後の文字「室」の右隣に位置するようになる。この様に、未確定文字列が漢字に置き換わって確定状態になることを漢字確定と呼ぶことにする。尚、漢字確定前にカーソルがどこに位置していようと、漢字確定すると置き換わった文字列の最後の文字の右隣にカーソルは移動する。
【００６８】
次に、図５に示す状態で、前述の数字キーを押下した時の動作について説明する。この場合は、リターンキー５を押下した時と類似している。例として、数字キーとして「３」キーを押下した場合、図１３に示すとおり、ＬＣＤ６の上段が何も表示されておらず、下段に半角文字の「１：」とそれに続いて全角文字の「会議室３」が共に通常の白地に黒文字で表示され、最後の文字「３」の右隣に位置するようになる。
【００６９】
これは、図５の状態で、リターンキー５を押下し、続けて「３」キーを押下した時と、全く同じ結果になる。このように数字キー押下には、未確定文字列を変換候補に置き換えつつ確定する働きと、押下した数字キー自体の示す数字を入力する働きとがある。
【００７０】
記号が入力された時は、数字キーが押下された時と同様の動作をする。また、英字が入力された時は、ローマ字入力モードであれば、仮名めくりキーが押下された時に準じて、未確定文字として入力されるが、英字入力モードであれば、数字キーが押下された時と同様の動作をする。
【００７１】
ここまでは、編集表示画面８１に未確定文字がある場合（未確定状態）の説明であるが、続いて未確定文字がない場合（確定状態）を図１３の画面表示の例を用いて説明する。前述のように、図１３に示す様に１行目には何も表示されず、２行目は、全て通常の表示で半角文字の「１：」とそれに続き全角文字で「会議室３」が表示されている。そして、「３」の隣の桁にカーソルが表示されている。
【００７２】
この図１３に示した状態で、カーソルキー７の内、右カーソルキーを押下した場合は、カーソル位置が右に１つ移動する。もっとも現在は移動可能な位置の内、一番右端に位置しているためこれ以上の移動はできない。また、左カーソルキーを押下した場合は、カーソル位置が左に１つ移動する。
【００７３】
次に、入力された文章が複数行に渡る時は、カーソルキー７の内、上カーソルキー、下カーソルキーの押下が有効で、ＬＣＤ６の下段である編集表示画面８１に表示される１行分の表示が押下の度に１行ずつ切り替わる。それに合わせ、現在「１：」となっている行数表示も該当する行の番号に変化する。
【００７４】
次に、図１３に示した状態で、仮名めくりキーを押下した時は、ＬＣＤ６下段の編集表示画面８１は、それまでに入力されていた確定済みの文字列に混じって、カーソルの示す位置に、押下した仮名めくりキーに対応した仮名文字が反転表示で表示される。その時、カーソルはその反転表示中の仮名文字の位置にある。また、ＬＣＤ６上段の変換候補表示画面８０には、変換候補となる文字が表示され、その中の１つが反転表示して選択状態になっている。つまり、先程図５で説明した未確定状態の画面表示となる。
【００７５】
次に、図１３に示した状態で、数字キーを押下した時は、カーソル位置にその数字キーに対応した数字が確定状態で追加になる。カーソル位置は右へ１つ移動する。
【００７６】
リターンキー５の押下は、改行となる。また、次候補キー８や不図示の前候補キーの押下は無効である。
【００７７】
記号が入力された時は、数字キーが押下された時と同様の動作をする。また、英字が入力された時は、ローマ字変換しながら仮名を入力するローマ字入力モードであれば、仮名めくりキーが押下された時に準じて未確定文字として入力されるが、英字を英字としてそのまま入力する英字入力モードであれば、数字キーが押下された時と同様の動作をする。
【００７８】
次に、図７を参照してテープ印字装置１の動作の流れを説明する。
図７は、本実施形態におけるテープ印字装置の全体的な処理を示すメインフローチャートである。
【００７９】
図７に示すように、先ず、ステップ（以下、Ｓと略記する）１において、テープ印字装置１のＣＰＵ６４は、起動時に初期化処理を行う。初期化処理では、ＲＡＭ６８の印字バッファ６８Ａ及び編集入力領域６８Ｂのクリア、ワーク領域６８ＤをＲＯＭ６６またはＥＥＰＲＯＭ６７に記憶されている所定の設定値に設定すること、表示画像バッファ６８Ｃを文字入力を受け付ける入力受付画面の表示イメージにしてＬＣＤ６に表示、等を行う。因みに、この時の入力受付画面の表示は、図１３に示す画面表示から入力文字列「会議室３」が入っていない状態である。その後、Ｓ２に移行し、キーボード２によるキー入力を受け付ける。その後、Ｓ３に移行する。Ｓ３では、Ｓ２で仮名めくりキー（「あ」、「か」、「さ」、「た」、「な」、「は」、「ま」、「や」、「ら」、「わ」キーの何れか）が押下されたか否か判断する。押下された時は（Ｓ３：ＹＥＳ）、Ｓ４に移行し、押下されていない時は（Ｓ３：ＮＯ）、Ｓ９に移行する。
【００８０】
Ｓ４では、仮名めくりによる仮名入力処理が行われる。具体的には、前述のように、未確定文字がない状態で仮名めくりキー押下されたか否か、仮確定される前の未確定文字があるか否か、連続した押下なら何回目か、等に応じて、キートップに記載されている文字に対応する行の何れかの文字を取得する。また、ＣＰＵ６４は押下されたキーの種類や、連続して押下された回数、取得した文字、それまでに入力された未確定文字を含む未確定文字列、未確定文字列内のカーソル位置等の仮名めくり及び未確定文字入力に係る各種情報の更新／管理をＲＡＭ６８のワーク領域６８Ｄを使用して行う。
【００８１】
その後、Ｓ５に移行する。Ｓ５では、ＬＣＤ６の下段、編集表示画面８１の表示更新を行う。確定された文字列は、ＲＡＭ６８の編集入力領域６８Ｂで管理されているが、これと同じくＲＡＭ６８のワーク領域６８Ｄで管理されている未確定文字列に関する各種情報及び編集表示画面８１での表示対象になっている行数等からＲＡＭ６８の表示画像バッファ６８Ｃの編集表示画面８１に対応した領域のイメージを更新する。そして更新したイメージでＬＣＤ６に再表示する。
【００８２】
その後、Ｓ６に移行して漢字変換処理をする。詳しくは、ＲＡＭ６８のワーク領域６８Ｄで管理している未確定文字列に対応する漢字変換候補をＲＯＭ６６の漢字変換辞書記憶領域６６Ａに記憶されている漢字変換辞書を検索して読み出すことである。尚、漢字変換辞書を検索するための各種情報、変換候補を表示するための各種情報（例えば、変換候補の数、選択中の変換候補がどれか、等）も、ＲＡＭ６８のワーク領域６８Ｄにて管理されている。
【００８３】
その後、Ｓ７に移行する。ここでは、ＬＣＤ６の上段、変換候補表示画面８０の表示更新を行う。詳しくは、ＲＡＭ６８のワーク領域６８Ｄにて管理されている変換候補を表示するための各種情報に基づいて、Ｓ６にて検索された漢字変換候補を表示するよう、ＲＡＭ６８の表示画像バッファ６８Ｃの変換候補表示画面８０に対応した領域のイメージを更新する。そして更新したイメージでＬＣＤ６に再表示する。次に、Ｓ８に移行する。ここでは、後述のその他の処理（Ｓ１７）で不図示の電源キーが押されたと判断された結果終了するか否かを判断する。終了する時は（Ｓ８：ＹＥＳ）本テープ印字装置１を電源ＯＦＦ状態にして終了し、終了しない時は（Ｓ８：ＮＯ）Ｓ２に移行する。
【００８４】
次に、Ｓ３で仮名めくりキーでない（Ｓ３：ＮＯ）と判断された時に移行するＳ９について説明する。Ｓ９では、不図示の前候補キーまたは次候補キー８が押下されたか否か判断する。不図示の前候補キーまたは次候補キー８が押下された時は（Ｓ９：ＹＥＳ）Ｓ１０に移行し、押下されなかった時は（Ｓ９：ＮＯ）Ｓ１１に移行する。Ｓ１０では、前候補か次候補かに応じて、ＲＯＭ６６の漢字変換辞書記憶領域６６Ａに記憶されている漢字変換辞書を再検索し、新しい変換候補を読み出す。その時、ＲＡＭ６８のワーク領域６８Ｄにて管理されている漢字変換辞書を検索するための各種情報、変換候補を表示するための各種情報（例えば、変換候補の数、選択中の変換候補がどれか、等）の更新も行われる。その後、Ｓ７に移行する。
【００８５】
次に、Ｓ９にて不図示の前候補キーまたは次候補キー８は押下されなかった（Ｓ９：ＮＯ）と判断された時に移行するＳ１１について説明する。Ｓ１１では、数字キー（１キー、２キー、・・・、９キー、０キー）が押下されたか否かを判断する。数字キーが押下された時は（Ｓ１１：ＹＥＳ）Ｓ１２に移行し、押下されなかった時は（Ｓ１２：ＮＯ）Ｓ１５に移行する。Ｓ１２では、漢字確定処理を行う。即ち、現在選択中の漢字候補を確定文字列のカーソル位置に挿入または追加するように、ＲＡＭ６８の編集入力領域６８Ｂを更新すると共に、ＲＡＭ６８のワーク領域６８Ｄで管理していた仮名めくり及び未確定文字入力に係る各種情報、漢字変換辞書を検索するための各種情報、変換候補を表示するための各種情報等をクリアする。尚、数字キーが押下される時の状況が、未確定文字列がない確定状態である時は、Ｓ１２では何もしない。
【００８６】
その後、Ｓ１３に移行する。Ｓ１３では、数字入力処理を行う。詳しくは、押下した数字キーに対応した数字を確定文字列のカーソル位置に挿入または追加するように、ＲＡＭ６８の編集入力領域６８Ｂを更新する。その後、Ｓ１４に移行する。ここでは、ＬＣＤ６の上段、変換候補表示画面８０の表示更新と、ＬＣＤ６の下段、編集表示画面８１の表示更新を行う。
【００８７】
詳しくは、ＲＡＭ６８のワーク領域６８Ｄにて管理されている変換候補を表示するための各種情報に基づいて、漢字変換候補は何も表示しないよう、ＲＡＭ６８の表示画像バッファ６８Ｃの変換候補表示画面８０に対応した領域のイメージを更新する。また、ＲＡＭ６８の編集入力領域６８Ｂで管理されている確定された文字列に関する各種情報と、ＲＡＭ６８のワーク領域６８Ｄで管理されている未確定文字列に関する各種情報及び編集表示画面８１での表示対象になっている行数等からＲＡＭ６８の表示画像バッファ６８Ｃの編集表示画面８１に対応した領域のイメージを更新する。そして更新したイメージでＬＣＤ６に再表示する。その後、Ｓ８に移行する。
【００８８】
次に、Ｓ１１にて数字キーは押下されなかったと判断された時（Ｓ１１：ＮＯ）に移行するＳ１５について説明する。ここでは、漢字確定するためのキーであるリターンキー５が押下されたか否かを判断する。リターンキー５が押下された時は（Ｓ１５：ＹＥＳ）は、Ｓ１６に移行し、押下されなかった時は（Ｓ１５：ＮＯ）Ｓ１７に移行する。Ｓ１６では、漢字確定処理を行う。即ち、現在選択中の漢字候補を確定文字列のカーソル位置に挿入または追加するように、ＲＡＭ６８の編集入力領域６８Ｂを更新すると共に、ＲＡＭ６８のワーク領域６８Ｄで管理していた仮名めくり及び未確定文字入力に係る各種情報、漢字変換辞書を検索するための各種情報、変換候補を表示するための各種情報等をクリアする。尚、リターンキー５が押下される時の状況が、未確定文字列がない確定状態である時は、Ｓ１６では漢字確定処理の替わりに改行処理を行う。その後、Ｓ１４に移行する。
【００８９】
次に、Ｓ１５にて漢字確定するためのキーであるリターンキー５が押下されなかった場合（Ｓ１５：ＮＯ）に移行するＳ１７について説明する。ここでは、前述した仮名めくりキー、前候補キー、次候補キー８、数字キー、リターンキー５の各キーが押下された以外の時の処理を行う。例えば、不図示の電源キーが押下された時もここで処理し、その場合は、電源キーの押下を判断し、Ｓ８で判断可能なようにＲＡＭ６８のワーク領域６８Ｄに電源ＯＦＦフラグをセットする。また、カーソルキー７が押下された時のカーソル移動処理、印刷キー４が押下された時の印刷処理、機能キー群９に係るキーが押下された時の各種処理もここで行う。その後、Ｓ８に移行する。
【００９０】
次に、図８〜図１３を参照して、仮名漢字変換に関し、キー操作に伴う画面表示の変遷を説明する。その間、前述の図７のフローチャートをも参照する。
【００９１】
図８は、Ｓ１の初期化処理直後のまだ何も文字入力がない状態で、Ｓ２のキー入力において、仮名めくりキーの１つ「か」キーを押下した時のＬＣＤ６に表示される画面を示した図である。「か」キーが押下されると、Ｓ３で仮名めくりキーか判断される。
【００９２】
「か」キーは仮名めくりキーなので（Ｓ３：ＹＥＳ）、Ｓ４で、仮名めくり入力処理が行われる。「か」キーは今回初めて押下されたので、入力文字としては「か」と判断される。Ｓ５で、ＬＣＤ６の下段、編集表示画面８１に「か」が未確定文字列として反転表示される。次にＳ６で、未確定文字列「か」で、仮名漢字変換をすべく、ＲＯＭ６６の漢字変換辞書記憶領域６６Ａに記憶される漢字変換辞書で変換候補を検索する。今回は、表示可能な変換候補としては「化」、「課」、「科」、「蚊」、「可」、「家」、「過」、「下」が検索される。次に、Ｓ７で、ＬＣＤ６の上段、変換候補表示画面８０に、Ｓ６で検索された変換候補を表示する。その時、先頭の「化」が選択状態にあるとして反転で表示される。Ｓ８で終了とは判断されないので（Ｓ８：ＮＯ）再びＳ２に移行する。
【００９３】
次に、図９は、図８に示した「か」キー押下の後に、「あ」キーを２回押下した時の画面を示した図である。先ずＳ２で「あ」キーが１回押下されると、Ｓ３で仮名めくりキーか判断される。「あ」キーは仮名めくりキーなので（Ｓ３：ＹＥＳ）、Ｓ４で、仮名めくり入力処理が行われる。「あ」キーは今回初めて押下されたので、入力文字としては「あ」と判断される。Ｓ５で、ＬＣＤ６の下段、編集表示画面８１に「かあ」が未確定文字列として反転表示される。次にＳ６で、未確定文字列「かあ」で、仮名漢字変換をすべく、ＲＯＭ６６の漢字変換辞書記憶領域６６Ａに記憶される漢字変換辞書で変換候補を検索する。前記と同様何らかの検索候補が検索され、Ｓ７で、ＬＣＤ６の上段、変換候補表示画面８０に表示される。Ｓ８で終了とは判断されないので（Ｓ８：ＮＯ）再びＳ２に移行する。
【００９４】
再びＳ２で「あ」キーが押下されると、Ｓ３で仮名めくりキーか判断される。「あ」キーは仮名めくりキーなので（Ｓ３：ＹＥＳ）、Ｓ４で、仮名めくり入力処理が行われる。「あ」キーは今回２度目なので、入力文字としては「い」と判断される。Ｓ５で、ＬＣＤ６の下段、編集表示画面８１には「かあ」に替わって「かい」が未確定文字列として反転表示される。次にＳ６で、未確定文字列「かい」で、仮名漢字変換をすべく、ＲＯＭ６６の漢字変換辞書記憶領域６６Ａに記憶される漢字変換辞書で変換候補を検索する。今回は、表示可能な変換候補としては「会」、「貝」、「下位」、「回」、「開」、「買い」が検索された。次に、Ｓ７で、ＬＣＤ６の上段、変換候補表示画面８０に、Ｓ６で検索された変換候補を表示する。その時、先頭の「会」が選択状態にあるとして反転で表示される。この状態を表したのが図９である。Ｓ８で終了とは判断されないので（Ｓ８：ＮＯ）再びＳ２に移行する。
【００９５】
次に、図１０は、図９に示した「あ」キー２回押下の後に、「か」キーを２回押下し、「゛゜ー」キーを押下した時の画面を示した図である。先ずＳ２で「か」キーが１回押下されると、Ｓ３で仮名めくりキーか判断される。「か」キーは仮名めくりキーなので（Ｓ３：ＹＥＳ）、Ｓ４で、仮名めくり入力処理が行われる。「か」キー押下の前に押下されていたのは別のキーなので「か」キーは１回目のキー押下となり、入力文字としては「か」と判断される。Ｓ５で、ＬＣＤ６の下段、編集表示画面８１に「かいか」が未確定文字列として反転表示される。次にＳ６で、未確定文字列「かいか」で、仮名漢字変換をすべく、ＲＯＭ６６の漢字変換辞書記憶領域６６Ａに記憶される漢字変換辞書で変換候補を検索する。前記と同様何らかの検索候補が検索され、Ｓ７で、ＬＣＤ６の上段、変換候補表示画面８０に表示される。Ｓ８で終了とは判断されないので（Ｓ８：ＮＯ）再びＳ２に移行する。
【００９６】
再びＳ２で「か」キーが押下されると、Ｓ３で仮名めくりキーか判断される。「か」キーは仮名めくりキーなので（Ｓ３：ＹＥＳ）、Ｓ４で、仮名めくり入力処理が行われる。「か」キーは今回２度目なので、入力文字としては「き」と判断される。Ｓ５で、ＬＣＤ６の下段、編集表示画面８１には「かいか」に替わって「かいき」が未確定文字列として反転表示される。次にＳ６で、未確定文字列「かいき」で、仮名漢字変換をすべく、ＲＯＭ６６の漢字変換辞書記憶領域６６Ａに記憶される漢字変換辞書で変換候補を検索する。前記と同様何らかの検索候補が検索される。次に、Ｓ７で、ＬＣＤ６の上段、変換候補表示画面８０に、Ｓ６で検索された変換候補を表示する。Ｓ８で終了とは判断されないので（Ｓ８：ＮＯ）再びＳ２に移行する。
【００９７】
「゛゜ー」キーが押下されると、Ｓ３で仮名めくりキーか判断される。「゛゜ー」キーは仮名めくりキーではないので（Ｓ３：ＮＯ）、Ｓ９に移行する。Ｓ９では、不図示の前候補キーか次候補キー８か否か判断される。それらでもないので（Ｓ９：ＮＯ）、Ｓ１１に移行する。Ｓ１１では、数字キーか否か判断される。数字キーでもないので（Ｓ１１：ＮＯ）、Ｓ１５に移行する。Ｓ１５では、確定用のキーであるリターンキー５であるか否か判断される。リターンキー５でもないので（Ｓ１５：ＮＯ）、Ｓ１７に移行する。
【００９８】
Ｓ１７はその他の処理である。この中で、「゛゜ー」キーとして判断され、仮名めくりキーに似た処理を行う。このキーによる入力もキートップに記載されている「゛」、「゜」、「ー」の間を押下の度に巡回して変化する。今回１回目の押下なので「゛」と判断される。ＬＣＤ６の下段、編集表示画面８１に「かいき」が未確定文字列として反転表示されているが、その末尾の「き」と今回入力された「゛」とが合成して「ぎ」となり、編集表示画面８１は「かいぎ」となる。次に、未確定文字列「かいぎ」で、仮名漢字変換をすべく、ＲＯＭ６６の漢字変換辞書記憶領域６６Ａに記憶される漢字変換辞書で変換候補を検索する。今回は、表示可能な変換候補としては「会議」、「懐疑」、「海技」、「快技」が検索される。次に、ＬＣＤ６の上段、変換候補表示画面８０に、今検索された変換候補を表示する。その時、先頭の「会議」が選択状態にあるとして反転で表示される。この状態を表したのが図１０である。その後、Ｓ８に移行する。Ｓ８で終了とは判断されないので（Ｓ８：ＮＯ）再びＳ２に移行する。
【００９９】
次に、図１１は、図１０に示した「か」キー２回押下及び「゛゜ー」キー押下の後に、「さ」キーを２回押下した時の画面を示した図である。先ずＳ２で「さ」キーが１回押下されると、Ｓ３で仮名めくりキーか判断される。「さ」キーは仮名めくりキーなので（Ｓ３：ＹＥＳ）、Ｓ４で、仮名めくり入力処理が行われる。「さ」キー押下の前は違うキーが押下されていたので「さ」キーは１回目の押下となり、入力文字としては「さ」と判断される。Ｓ５で、ＬＣＤ６の下段、編集表示画面８１に「かいぎさ」が未確定文字列として反転表示される。次にＳ６で、未確定文字列「かいぎさ」で、仮名漢字変換をすべく、ＲＯＭ６６の漢字変換辞書記憶領域６６Ａに記憶される漢字変換辞書で変換候補を検索する。前記と同様何らかの検索候補が検索され、Ｓ７で、ＬＣＤ６の上段、変換候補表示画面８０に表示される。Ｓ８で終了とは判断されないので（Ｓ８：ＮＯ）再びＳ２に移行する。
【０１００】
再びＳ２で「さ」キーが押下されると、Ｓ３で仮名めくりキーか判断される。「さ」キーは仮名めくりキーなので（Ｓ３：ＹＥＳ）、Ｓ４で、仮名めくり入力処理が行われる。「さ」キーは今回２度目なので、入力文字としては「し」と判断される。Ｓ５で、ＬＣＤ６の下段、編集表示画面８１には「かいぎさ」に替わって「かいぎし」が未確定文字列として反転表示される。次にＳ６で、未確定文字列「かいぎし」で、仮名漢字変換をすべく、ＲＯＭ６６の漢字変換辞書記憶領域６６Ａに記憶される漢字変換辞書で変換候補を検索する。今回は、表示可能な変換候補としては「懐疑し」、「会議し」が検索される。次に、Ｓ７で、ＬＣＤ６の上段、変換候補表示画面８０に、Ｓ６で検索された変換候補を表示する。その時、先頭の「懐疑し」が選択状態にあるとして反転で表示される。この状態を表したのが図１１である。Ｓ８で終了とは判断されないので（Ｓ８：ＮＯ）再びＳ２に移行する。
【０１０１】
次に、図１２は、図１１に示した「さ」キー２回押下の後に、「た」キーを３回押下した時の画面を示した図である。先ずＳ２で「た」キーが１回押下されると、Ｓ３で仮名めくりキーか判断される。「た」キーは仮名めくりキーなので（Ｓ３：ＹＥＳ）、Ｓ４で、仮名めくり入力処理が行われる。「た」キー押下の前は違うキーが押下されていたので「た」キーは１回目の押下となり、入力文字としては「た」と判断される。Ｓ５で、ＬＣＤ６の下段、編集表示画面８１に「かいぎした」が未確定文字列として反転表示される。次にＳ６で、未確定文字列「かいぎした」で、仮名漢字変換をすべく、ＲＯＭ６６の漢字変換辞書記憶領域６６Ａに記憶される漢字変換辞書で変換候補を検索する。前記と同様何らかの検索候補が検索され、Ｓ７で、ＬＣＤ６の上段、変換候補表示画面８０に表示される。Ｓ８で終了とは判断されないので（Ｓ８：ＮＯ）再びＳ２に移行する。
【０１０２】
再びＳ２で「た」キーが押下されると、Ｓ３で仮名めくりキーか判断される。「た」キーは仮名めくりキーなので（Ｓ３：ＹＥＳ）、Ｓ４で、仮名めくり入力処理が行われる。「た」キーは今回２度目なので、入力文字としては「ち」と判断される。Ｓ５で、ＬＣＤ６の下段、編集表示画面８１には「かいぎした」に替わって「かいぎしち」が未確定文字列として反転表示される。次にＳ６で、未確定文字列「かいぎしち」で、仮名漢字変換をすべく、ＲＯＭ６６の漢字変換辞書記憶領域６６Ａに記憶される漢字変換辞書で変換候補を検索する。前記と同様何らかの検索候補が検索され、Ｓ７で、ＬＣＤ６の上段、変換候補表示画面８０に表示される。Ｓ８で終了とは判断されないので（Ｓ８：ＮＯ）再びＳ２に移行する。
【０１０３】
再びＳ２で「た」キーが押下されると、Ｓ３で仮名めくりキーか判断される。「た」キーは仮名めくりキーなので（Ｓ３：ＹＥＳ）、Ｓ４で、仮名めくり入力処理が行われる。「た」キーは今回３度目なので、入力文字としては「つ」と判断される。Ｓ５で、ＬＣＤ６の下段、編集表示画面８１には「かいぎしち」に替わって「かいぎしつ」が未確定文字列として反転表示される。次にＳ６で、未確定文字列「かいぎしつ」で、仮名漢字変換をすべく、ＲＯＭ６６の漢字変換辞書記憶領域６６Ａに記憶される漢字変換辞書で変換候補を検索する。今回は、表示可能な変換候補としては「会議室」、「かいぎしつ」が検索された。次に、Ｓ７で、ＬＣＤ６の上段、変換候補表示画面８０に、Ｓ６で検索された変換候補を表示する。その時、先頭の「会議室」が選択状態にあるとして反転で表示される。この状態を表したのが図１２である。Ｓ８で終了とは判断されないので（Ｓ８：ＮＯ）再びＳ２に移行する。
【０１０４】
次に、図１３は、図１２に示した「た」キー３回押下の後に、「３」キーを押下した時の画面を示した図である。先ずＳ２で「３」キーが１回押下されると、Ｓ３で仮名めくりキーか判断される。「３」キーは仮名めくりキーではないので（Ｓ３：ＮＯ）、Ｓ９に移行する。Ｓ９では、不図示の前候補キーか次候補キー８の何れかが押下されたか否か判断される。それらのキーではないので（Ｓ９：ＮＯ）Ｓ１１に移行する。Ｓ１１では数字キーか否か判断される。「３」キーは数字キーなので（Ｓ１１：ＹＥＳ）Ｓ１２に移行する。Ｓ１２では未確定文字列の「かいぎしつ」が変換候補として選択状態にある「会議室」に漢字確定され、「会議室」はＲＡＭ６８の編集入力領域６８Ｂで管理されている確定された文字列のカーソル位置に追加／挿入される。入力状態も未確定文字のない確定状態になる。
【０１０５】
図８から始まる一連の処理は、何も確定文字列がない状態からの入力だったため、現在確定文字列としては「会議室」が編集入力領域６８Ｂには記憶されている。次にＳ１３に移行し、押下された「３」キーに対応した「３」が確定された文字として入力され、ＲＡＭ６８の編集入力領域６８Ｂで管理されている確定された文字列「会議室」の後に追加され、確定された文字列は「会議室３」となる。その後Ｓ１４に移行する。Ｓ１４では、未確定文字列のない確定状態の場合の画面表示を行う。詳しくは、ＬＣＤ６の上段、変換候補表示画面８０に何も表示せず、ＬＣＤ６の下段、編集表示画面８１に行番号を表す「１：」に続けて、「会議室３」を表示する。「３」の右隣の桁にカーソルは表示する。以上が、図１３の説明である。
【０１０６】
尚、ＬＣＤ６が表示手段に相当する。「あ」キー、「か」キー、「さ」キー、・・・、「わ」キーの各仮名めくりキー及び図７のＳ２、Ｓ３、Ｓ４を実行するＣＰＵ６４が仮名めくり入力手段に相当する。ＲＯＭ６６の漢字変換辞書記憶領域６６Ａが変換辞書記憶手段に相当する。図７のＳ６を実行するＣＰＵ６４が漢字変換手段に相当する。図７のＳ７及びＳ１４においてＬＣＤ６の変換候補表示画面８０に変換候補の表示を行うＣＰＵ６４が候補表示制御手段に相当する。図７のＳ１２及びＳ１６を実行するＣＰＵ６４が漢字確定手段に相当する。０キー〜９キーの各数字キー及びＳ２、Ｓ１１、Ｓ１３を実行するＣＰＵ６４が文字入力手段に相当する。
【０１０７】
以上が、本実施形態におけるテープ印字装置の説明だが、本発明は、ここでの記載のみに限定されるわけではなく、発明の趣旨を逸脱しない範囲で各種の変更を加えてもよいことは言うまでもない。
【０１０８】
本実施形態では、文字入力装置をテープ印字装置に適用したが、その他の装置に適用してもよい。
【図面の簡単な説明】
【０１０９】
【図１】本実施形態に係るテープ印字装置の概略上方外観図である。
【図２】テープ印字装置の概略右側方外観図である。
【図３】テープ印字装置に装着されるテープカセットのカバーを外した場合の平面図である。
【図４】テープ印字装置の制御構成を示すブロック図である。
【図５】表示画面の説明図である。
【図６】数字／仮名めくりキー群における各数字キー、仮名めくりキーのキー配列を示す模式図である。
【図７】テープ印字装置の全体的な処理を示すメインフローチャートである。
【図８】キー操作に伴う画面表示の変遷を説明する説明図である。
【図９】キー操作に伴う画面表示の変遷を説明する説明図である。
【図１０】キー操作に伴う画面表示の変遷を説明する説明図である。
【図１１】キー操作に伴う画面表示の変遷を説明する説明図である。
【図１２】キー操作に伴う画面表示の変遷を説明する説明図である。
【図１３】キー操作に伴う画面表示の変遷を説明する説明図である。
【符号の説明】
【０１１０】
１  テープ印字装置
２  キーボード
６  液晶ディスプレイ
５  リターンキー
８  次候補キー
１０  数字／仮名めくりキー群
６３  制御回路部
６４  ＣＰＵ
６６  ＲＯＭ
６６Ａ  漢字変換辞書記憶領域
６８  ＲＡＭ
６８Ｂ  編集入力領域
６８Ｃ  表示画像バッファ
６８Ｄ  ワーク領域
８０  変換候補表示画面
８１  編集表示画面
【図１】
2007086971.tif 000003
【図２】
2007086971.tif 000004
【図３】
2007086971.tif 000005
【図４】
2007086971.tif 000006
【図５】
2007086971.tif 000007
【図６】
2007086971.tif 000008
【図７】
2007086971.tif 000009
【図８】
2007086971.tif 000010
【図９】
2007086971.tif 000011
【図１０】
2007086971.tif 000012
【図１１】
2007086971.tif 000013
【図１２】
2007086971.tif 000014
【図１３】
2007086971.tif 000015